(57)【要約】【課題】材料の使用量や製造工程が増えるのを抑制しつつ詰替え時における把持のし易さを改良することができ、詰替え時に内容物を注ぎ出し易くして本体容器への詰替え性を向上させることのできる可撓袋を提供する。【解決手段】２枚の側面フィルム１１を周縁部でシールして胴部１を形成すると共に、底面フィルム１２を側面フィルム１１の間に挟みかつ内側に折り込んだ状態でその周縁部を側面フィルム１１にシールすることで底部３を形成することにより袋とし、袋の上部に注出口部２を備える詰替え用の可撓袋１０であって、胴部１の側縁シール部１４に、縦方向に延設するスリット１５が、その中央１５ａを胴部１の高さ方向Ｙの中央１ａよりも底部３側に配置して形成される。注出口部２は、片側に寄せて設けられており、スリット１５は、幅方向中央を挟んだ注出口部２とは反対側の側縁シール部１４に形成される。【選択図】図１
2007331767.tif 000002
【特許請求の範囲】
【請求項１】
２枚の側面フィルムを周縁部でシールして胴部を形成すると共に、該胴部の下部において底面フィルムを前記２枚の側面フィルムの間に挟みかつ内側に折り込んだ状態でその周縁部を前記側面フィルムにシールすることで底部を形成することにより袋とし、該袋の上部に注出口部を備える詰替え用の可撓袋であって、
前記胴部の側縁シール部又は該側縁シール部の内側に並んで設けられた内側シール部に、縦方向に延設するスリット又はスリット形成線が、その中央を前記胴部の高さ方向中央よりも底部側に配置して形成された可撓袋。
【請求項２】
前記注出口部は、袋の上部の片側に寄せて設けられており、前記スリット又は前記スリット形成線は、前記胴部の幅方向中央を挟んだ前記注出口部とは反対側の前記側縁シール部又は前記内側シール部に形成される請求項１記載の可撓袋。
【請求項３】
前記側縁シール部に形成された前記スリット又は前記スリット形成線は、その上端を前記胴部の高さ方向中央よりも底部側に配置して形成される請求項２記載の可撓袋。
【請求項４】
前記注出口部は、袋の上部の中央に設けられており、前記スリット又は前記スリット形成線は、前記胴部の両側の前記側縁シール部に各々形成される請求項１記載の可撓袋。
【請求項５】
前記スリット形成線はミシン目である請求項１〜４のいずれかに記載の可撓袋。
【請求項６】
前記スリット又は前記スリット形成線の両端部に割れ止めが形成される請求項１〜５のいずれかに記載の可撓袋。
【請求項７】
前記スリット又は前記スリット形成線は、前記側縁シール部又は前記内側シール部における幅１０ｍｍ以内の帯状領域に収まるように形成される請求項１〜８のいずれかに記載の可撓袋。
【請求項８】
前記側縁シール部又は前記内側シール部の前記スリット又は前記スリット形成線が形成される部分に未シール部が設けられており、前記スリット又は前記スリット形成線は、該未シール部の中央部分に沿って形成される請求項１〜７のいずれかに記載の可撓袋。
【発明の詳細な説明】
【技術分野】
【０００１】
本発明は、可撓袋に関し、特に、液体、粉体等の内容物を注出可能とする可撓袋に関する。更に詳しくは、例えば本体容器の詰替え容器として、本体容器に内容物を詰替えやすくし、経済的で環境に配慮した可撓袋に関する。
【背景技術】
【０００２】
スタンディングパウチ等のフィルム材料により形成された可撓袋は、液体や粉粒体等からなる洗剤、食品等を密封状態で収容する袋状の容器として、その経済性、環境性から本体容器の詰替え容器として多用されており、今後は容量の大型化を図ることが必要とされている。このような状況の中で、容量の大型化に伴って、可撓袋から本体容器へ内容物を詰替える際の詰替え性を向上させる工夫も種々なされている（例えば、特許文献１，２，３，４参照）。
【０００３】
特許文献１の可撓袋は、袋の両側の側部シール部に、外側に突出する延長シール部を設け、この延長シール部に指や手を挿入して袋を把持するための穴を形成し、持ち易さを改善したものである。特許文献２の可撓袋は、注出用口部の反対側の側縁シール部に、指や手を挿入して袋を把持するための把持用孔を設けたものである。特許文献３の可撓袋は、袋の表側面または表裏両側面の胴部あるいはくびれた胴部の適宜の場所に、任意の形状の穴や切れ目線が施されている帯状部材を貼設あるいは周設したものである。特許文献４の可撓袋は、袋上部のシートを接合することにより把手部が設けられ、この把手部に指や手を挿入して袋を把持するための穴を開口形成すると共に、穴の開口周縁部分にシールされていない非シール部分を設けて、大型化された可撓袋を持ち歩く際の持ち手への負担を軽減できるようにしたものである。
【０００４】
また、可撓袋のシール部にパンチ加工等による孔（穴）を設けることなく、スリットやスリットを形成させる弱化線を設けて、吊り下げ用の係止部や、取っ手穴を形成できるようにした可撓袋も開示されている（例えば、特許文献５，６参照）。
【特許文献１】特開２００２−１７９０９５号公報
【特許文献２】特開平９−１８３４４２号公報
【特許文献３】特開２００５−８８９２７号公報
【特許文献４】特開平１０−２９７６５０号公報
【特許文献５】特開２００２-１７９０９７号公報
【特許文献６】特開２００５−２１２８８４号公報
【発明の開示】
【発明が解決しようとする課題】
【０００５】
しかしながら、上記従来の可撓袋では、シール部に穴（孔）を形成する特許文献１〜４のものは、シール部における所望の強度を保持するために、パンチ加工等によって穴が形成される部分のシール部の面積を大幅に増やす必要を生じたり、穴を形成した別部材を取り付ける必要を生じることになって、材料の使用量が増加すると共に袋の製造工程も煩雑になり、経済性や環境性に劣ることになる。
【０００６】
また、シール部に穴を形成することなくスリットや弱化線を設けて、吊り下げ用の係止部や取っ手穴を形成できるようにした特許文献５，６のものは、スリットや弱化線は、パンチ加工等による大きな欠損部分を生じないので、シール部の剛性や形状安定性に与える影響は少ないが、これらのスリットや弱化線は、袋の上縁シール部や下縁シール部に設けられており、可撓袋の持ち運び時や吊り下げ時には有効な手段となる一方で、注出口から内容物を注ぎ出す際の作業性を向上させる工夫はなされておらず、本体容器への内容物の詰替え性を向上させるものではない。
【０００７】
本発明は、材料の使用量や製造工程が増えるのを抑制しつつ詰替え時における把持のし易さを改良することができ、経済性や環境性に優れると共に、詰替え時に内容物を注ぎ出し易くして本体容器への詰替え性を向上させることのできる可撓袋を提供するものである。
【課題を解決するための手段】
【０００８】
上記の課題は、以下の本発明により解決することができる。即ち、本発明は、２枚の側面フィルムを周縁部でシールして胴部を形成すると共に、該胴部の下部において底面フィルムを前記２枚の側面フィルムの間に挟みかつ内側に折り込んだ状態でその周縁部を前記側面フィルムにシールすることで底部を形成することにより袋とし、該袋の上部に注出口部を備える詰替え用の可撓袋であって、前記胴部の側縁シール部又は該側縁シール部の内側に並んで設けられた内側シール部に、縦方向に延設するスリット又はスリット形成線が、その中央を前記胴部の高さ方向中央よりも底部側に配置して形成されている。
【発明の効果】
【０００９】
本発明の可撓袋によれば、材料の使用量や製造工程が増えるのを抑制しつつ詰替え時における把持のし易さを改良することができ、経済性や環境性に優れると共に、詰替え時に内容物を注ぎ出し易くして本体容器への詰替え性を向上させることができる。
【発明を実施するための最良の形態】
【００１０】
図１に示す本発明の好ましい第１実施形態に係る可撓袋１０は、２枚の側面フィルム１１，１１を周縁部で例えばヒートシールによりシールして胴部１を形成すると共に、この胴部１の下部において底面フィルム１２を２枚の側面フィルム１１，１１の間に挟みかつ内側に折り込んだ状態でその周縁部を側面フィルム１１，１１にシールすることでガセット状の底部３を形成することにより袋とし、この袋の上部に注出口部２を備える詰替え用の袋容器である。本第１実施形態の可撓袋１０では、注出口部２は、例えば袋の上部の片側に寄せて設けられており、胴部１の側縁シール部１３，１４のうち、胴部１の幅方向Ｘの中央を挟んだ注出口部２とは反対側の側縁シール部１４に、縦方向に延設するスリット１５が、その中央１５ａを胴部１の高さ方向Ｙの中央１ａよりも底部３側に配置して形成されている。
【００１１】
側面フィルム１１，１１や底面フィルム１２に用いるフィルム材料は、主にプラスチックを主体とする積層フィルムを用いるが、特に限定はされず、液状などの内容物の包装用袋に用いられている公知の積層フィルムは、いずれも使用することができ、充填する内容物の種類や充填後の加熱処理の有無など、使用条件に応じて適する材料を自由に選択して使用することができる。
【００１２】
本第１実施形態では、側面フィルム１１，１１の側縁部をシールする側縁シール部１３，１４は、注出口部２とは反対側に配置される側縁シール部１４の方が、注出口部２側の側縁シール部１３よりも広い幅で設けられ、この広い幅の側縁シール部１４にスリット１５が形成される。スリット１５は、側縁シール部１４の略中央を縦方向に縦断するようにして、直線状に切り込んで形成される。スリット１５の上下の両端部には、例えば丸穴を設けることにより、割れ止め１９が形成される。またスリット１５は、その割れ止め１９が形成された上端を、胴部１の高さ方向Ｙの中央１ａよりも底部３側に配置して形成される。
【００１３】
なお、本第１実施形態では、スリット１５が形成される側縁シール部１４に最小限必要な強度を確保するために、側縁シール部１４のシール幅を他の周縁シール部よりも広く形成する必要があるが、パンチ加工等によって把持用の穴を開口形成する場合と比較して、線状のスリット１５は側縁シール部１４の強度や剛性に与える影響が少ないので、把持用の穴を開口形成する場合よりもシール幅の増大を少なくして、材料の使用量が増えるのを抑制することが可能になる。また、袋の外観等のデザインを考慮して、注出口部２側の側縁シール部１３をスリット１５が形成された側縁シール部１４と同等の幅に形成することもできる。ヒートシールされた側縁シール部１３，１４の幅は、内容物が充填されたときの可撓袋１０の起立性を良好にする効果があり、側縁シール部１３，１４の幅を大きくすることによって、起立性を向上させることが可能になる。
【００１４】
上述の構成を備える本第１実施形態の可撓袋１０では、図２に示すように、使用者が可撓袋１０を手で持って、本体容器２０に内容物として例えば液体洗剤等を詰め替えようとする際に、例えば注出口部２と反対側の側縁シール部１４に設けられたスリット１５に手を通して袋１０を握るようにしたり、スリット１５より外側部分の側縁シール部１４ａを取っ手のように把持することによって、可撓袋１０を支えるようにしながら安定した状態で手に持つことが可能になる。これによって、注出口部２の先端を切り取って形成した注出口２ａから、本体容器２０の注入口２０ａに向けて、液こぼれ等を生ずることなく内容物を正確に注ぎ出すことが可能になると共に、詰替え性を向上させることが可能になる。また、可撓袋１０の購入時においても、スリット１５に手を通したり、取っ手のように把持することによって、持ち運び易さを改善することが可能になる。
【００１５】
また、本第１実施形態では、スリット１５は、その中央１５ａを胴部１の高さ方向Ｙの中央１ａよりも底部３側に配置して形成されており、特に、その割れ止め１９が設けられた上端を胴部１の高さ方向Ｙの中央１ａよりも底部３側に配置して形成されているので、本体容器２０への詰替え時に、例えば片方の手で袋１０の注出口２ａを本体容器２０の注入口２０ａに誘導すると共に、スリット１５を介してもう片方の手で袋１０のお尻側の部分を容易に把持することが可能になり、これによって、可撓袋１０の容量が大きい場合であっても、例えば内容物を本体容器２０へ注ぎ出しながら、袋１０のお尻側の部分を上方に持ち上げつつ、可撓袋１０を徐々に倒立させるように傾けて、内容物の詰替え操作をよりスムーズに行うことが可能になる。
【００１６】
さらに、本第１実施形態では、スリット１５の上下の端部に割れ止め１９が設けられているので、可撓袋１０の容量が大きく、スリット１５を介して持ち上げる際の可撓袋１０の重量が相当のものとなる場合でも、スリット１５がその両端から裂け始めるのを回避して、可撓袋１０が破損するのを効果的に回避することが可能になる。
【００１７】
図３は、本第１実施形態の可撓袋１０の変形例を示すものである。図３の可撓袋１０では、側縁シール部１４のスリット１５が形成される部分に未シール部１６が設けられており、スリット１５は、この未シール部１６の中央部分に沿って形成されている。スリット１５が未シール部１６に形成されることにより、スリット１５による把持用開口の開口周縁に未シールのシートが残置されて、手や指に対する当たりが軟らかくなり、これによって、可撓袋１０の重量が相当のものとなる場合でも、内容物の詰替え操作を行う際に、スリットに通した手や指へ負荷される負担を効果的に軽減することが可能になる。
【００１８】
図４もまた、本第１実施形態の可撓袋１０の変形例を示すものである。図４の可撓袋１０では、側縁シール部１４に形成されるスリット１７は、上下両端の割れ止め１９の間において、外側に弧状に湾曲する形状で設けられている。スリット１７を弧状に湾曲する形状で形成することにより、スリット１７による把持用開口の開口周縁に手や指を沿わせや易くなる。このように、スリットは、把持のし易さ等を鑑みて直線以外のその他の形状に形成することができるが、直線以外の形状に形成する場合には、側縁シール部１４における幅ｂが１０ｍｍ以内の当該側縁シール部１４と平行な帯状領域１８に収まるように形成されることが好ましい（弧状のスリット１７の場合は帯状領域１８に収まるようにその曲率半径を大きくする。）。スリットが形成される帯状領域１８の幅ｂが大きくなると、側縁シール部１４の強度や剛性を保持するために、側縁シール部１４の幅を過度に大きくする必要を生じることになり、材料の使用量を抑制する効果が低減する。
【００１９】
図５もまた、本第１実施形態の可撓袋１０の変形例を示すものである。図５の可撓袋１０では、図４の可撓袋１０における弧状に湾曲するスリット１７に換えて、スリット形成線２１を設けたものである。スリット形成線２１は、当該スリット形成線２１に沿って例えば手作業で側縁シール部１４を切り裂くことにより、ハサミやナイフ等の器具を用いることなく、スリットを容易に形成することを可能にする線状部分である。スリット形成線２１は、好ましくはミシン目等によって形成することができる。スリット１７に換えてスリット形成線２１を設けることにより、流通時における可撓袋１０の取り扱いが容易になると共に、可撓袋１０の美観を向上させることが可能になる。また、本体容器２０への詰め替え時には、スリット形成線２１を破断することによりスリットを形成して、上述と同様に、詰替え作業を容易に行うことが可能になる。
【００２０】
そして、本第１実施形態の可撓袋１０によれば、材料の使用量や製造工程が増えるのを抑制しつつ詰替え時における把持のし易さを改良することができ、経済性や環境性に優れると共に、詰替え時に内容物を注ぎ出し易くして本体容器２０への詰替え性を向上させることができる。すなわち、本第１実施形態によれば、胴部１の側縁シール部１４に設けられた縦方向に延設する細幅のスリット１５又はスリット形成線２１によって、詰替え時に可撓袋１０を把持するための開口が形成されるので、パンチ加工等によって側縁シール部１４に把持用の大きな穴を開口形成する場合等と比較して、側縁シール部１４の強度や剛性に与える影響が少なく、側縁シール部１４の面積を大幅に増やす必要がないので、材料の使用量が増えるのを抑制することが可能になる。また、ヒートシールパターンの変更とスリットを設ける部分のカッターの追加のみによって、従来の可撓袋と同様の製造工程で可撓袋１０を製造することが可能になる。
【００２１】
さらに、本第１実施形態によれば、スリット１７又はスリット形成線２１は、その高さ方向の中央を胴部１の高さ方向中央１ａよりも底部３側に配置して形成されているので、手で袋１０のお尻側の部分を把持して上方に持ち上げつつ、可撓袋１０を徐々に倒立させるように傾けながら、内容物を本体容器２０へ注ぎ出すことができるので、内容物を注ぎ出し易くして詰替え性を向上させることが可能になる。
【００２２】
図６は、本発明の好ましい第２実施形態に係る可撓袋３０を示すものである。本第２実施形態の可撓袋３０は、上記第１実施形態に係る可撓袋１０と同様に、２枚の側面フィルム３１，３１を周縁部で例えばヒートシールによりシールして胴部３３形成すると共に、この胴部３３の下部において底面フィルム３２を２枚の側面フィルム３１，３１の間に挟みかつ内側に折り込んだ状態でその周縁部を側面フィルム３１，３１にシールすることでガセット状の底部３４を形成することにより袋とし、この袋の上部に注出口部３５を備える詰替え用の袋容器である。
【００２３】
また、本第２実施形態の可撓袋３０では、上記第１実施形態に係る可撓袋１０とは異なり、注出口部３５は、袋の上部の中央に設けられており、スリット３６は、胴部３３の両側の側縁シール部３７に、その高さ方向Ｙの中央３６ａを胴部３３の高さ方向Ｙの中央３３ａよりも底部３４側に配置して各々形成されている。さらに、本第２実施形態の可撓袋３０では、各スリット３６の上下の両端部には、例えば丸穴を設けることにより、割れ止め３８が各々形成されている。
【００２４】
上述の構成を備える本第２実施形態の可撓袋３０では、図７に示すように、使用者が可撓袋３０を手で持って、本体容器２０に内容物として例えば液体洗剤等を詰め替えようとする際に、例えば胴部３３の中央３３ａよりも底部３４側において両側の側縁シール部３７に形成された一対のスリット３６を、合わせて握るようにしながら可撓袋３０を把持することにより、可撓袋３０を支持しつつ安定した状態で手に持つことが可能になる。また、注出口部３５の先端を切り取って形成した注出口３５ａが大きく開口するように促すことも可能になる。さらに、可撓袋３０のお尻側の部分を上方に持ち上げつつ、可撓袋３０を徐々に倒立させるように傾けて、内容物の詰替え操作をよりスムーズに行うことが可能になり、これらによって、上記本第１実施形態の可撓袋１０と同様の作用効果を奏することになる。
【００２５】
そして、本第２実施形態の可撓袋３０においても、その変形例として、例えば図８（ａ）に示すように、側縁シール部３７のスリット３６が形成される部分に未シール部３９を設け、この未シール部３９の中央部分に沿ってスリット３６を設けることもできる。また、例えば図８（ｂ）に示すように、側縁シール部３７に形成されるスリット４０を、外側に弧状に湾曲する形状で設けることもできる。さらに、例えば図８（ｃ）に示すように、側縁シール部３７に、スリット３６，４０に換えて、好ましくはミシン目等からなるスリット形成線４１を設けることもできる。
【００２６】
図９は、本発明の好ましい第３実施形態に係る可撓袋５０を示すものである。本第３実施形態の可撓袋５０は、上記第１実施形態に係る可撓袋１０と同様に、２枚の側面フィルム５１，５１を周縁部で例えばヒートシールによりシールして胴部５３形成すると共に、この胴部５３の下部において底面フィルム５２を２枚の側面フィルム５１，５１の間に挟みかつ内側に折り込んだ状態でその周縁部を側面フィルム５１，５１にシールすることでガセット状の底部５４を形成することにより袋とし、この袋の上部に注出口部５５を備える詰替え用の袋容器である。本第３実施形態では、上記第１実施形態と同様に、注出口部５５は、袋の上部の片側に寄せて設けられている。
【００２７】
また、本第３実施形態の可撓袋５０では、上記第１実施形態に係る可撓袋１０とは異なり、胴部５３の側縁シール部５６，５７のうち、胴部５３の幅方向Ｘの中央を挟んだ注出口部５５とは反対側の側縁シール部５７の内側に平行に並んで、例えば縦長略楕円形状の内側シール部５８が、側縁シール部５７と間隔をおいて、その高さ方向Ｙの中央を胴部５３の高さ方向Ｙの中央５３ａよりも底部５４側に配置して設けられている。この内側シール部５８に、縦方向に延設するスリット５９が、その高さ方向Ｙの中央５９ａを胴部５３の高さ方向Ｙの中央５３ａよりも底部５４側に配置して形成されている。またスリット５９の上下の両端部には、例えば丸穴を設けることにより、割れ止め６０が各々形成されている。
【００２８】
上述の構成を備える本第３実施形態の可撓袋５０では、図１０に示すように、使用者が可撓袋５０を手で持って、本体容器２０に内容物として例えば液体洗剤等を詰め替えようとする際に、例えば胴部５３の中央５３ａよりも底部５４側において内側シール部５８に設けられたスリット５９に手や指を通して側縁シール部５７との間の部分を握るようにしたり、取っ手のように把持することによって、可撓袋５０を支持しつつ安定した状態で手に持つことが可能になる。また、可撓袋５０のお尻側の部分を上方に持ち上げつつ、可撓袋５０を徐々に倒立させるように傾けて、内容物の詰替え操作をよりスムーズに行うことが可能になり、これらによって、上記本第１実施形態の可撓袋１０と同様の作用効果を奏することになる。また、可撓袋５０の購入時においても、例えばスリット５９に手を通して取っ手のように把持することにより、持ち運び易さを改善することが可能になる。
【００２９】
そして、本第３実施形態の可撓袋５０においても、その変形例として、例えば図１１（ａ）に示すように、内側シール部５８のスリット５９が形成される部分に未シール部６１を設け、この未シール部６１の中央部分に沿ってスリット５９を設けることもできる。また、例えば図１１（ｂ）に示すように、内側シール部５８に形成されるスリット６２を、外側に弧状に湾曲する形状で設けることもできる。さらに、例えば図１１（ｃ）に示すように、内側シール部５８に、スリット５９，６２に換えて、好ましくはミシン目等からなるスリット形成線６３を設けることもできる。
【００３０】
なお、本発明は上記各実施形態に限定されることなく種々の変更が可能である。例えば、スリット又はスリット形成線の両端部に設けられる割れ止めは、丸穴以外のその他に形状に形成することもできる。また割れ止めをスリット又はスリット形成線の両端部に設ける必要は必ずしもない。
【図面の簡単な説明】
【００３１】
【図１】本発明の好ましい第１実施形態に係る可撓袋を模式的に示す側面図である。
【図２】第１実施形態の可撓袋から本体容器に内容物を注ぎ出す状況を説明する模式図である。
【図３】第１実施形態の可撓袋の変形例を模式的に示す側面図である。
【図４】第１実施形態の可撓袋の変形例を模式的に示す側面図である。
【図５】第１実施形態の可撓袋の変形例を模式的に示す側面図である。
【図６】本発明の好ましい第２実施形態に係る可撓袋を模式的に示す側面図である。
【図７】第２実施形態の可撓袋から本体容器に内容物を注ぎ出す状況を説明する模式図である。
【図８】（ａ）〜（ｃ）は、第２実施形態の可撓袋の変形例を模式的に示す側面図である。
【図９】本発明の好ましい第３実施形態に係る可撓袋を模式的に示す側面図である。
【図１０】第３実施形態の可撓袋から本体容器に内容物を注ぎ出す状況を説明する模式図である。
【図１１】（ａ）〜（ｃ）は、第３実施形態の可撓袋の変形例を模式的に示す側面図である。
【符号の説明】
【００３２】
１，３３，５３  胴部
１ａ，３３ａ，５３ａ    胴部の高さ方向の中央
２，３５，５５  注出口部
２ａ，３５ａ  注出口
３，３４，５４  底部
１０，３０，５０  可撓袋
１１，３１，５１  側面フィルム
１２，３２，５２  底面フィルム
１３，１４，３７，５６，５７  側縁シール部
１５，１７，３６，４０，５９，６２  スリット
１５ａ，３６ａ，５９ａ  スリットの高さ方向の中央
１６，３９，６１  未シール部
１８  スリットが形成される帯状領域
１９，３８，６０  割れ止め
２０  本体容器
２０ａ  本体容器の注入口
２１，４１，６３  スリット形成線
５８  内側シール部
ｂ    スリットが形成される帯状領域の幅
Ｘ    胴部の幅方向
Ｙ    胴部の幅方向
【図１】
2007331767.tif 000003
【図２】
2007331767.tif 000004
【図３】
2007331767.tif 000005
【図４】
2007331767.tif 000006
【図５】
2007331767.tif 000007
【図６】
2007331767.tif 000008
【図７】
2007331767.tif 000009
【図８】
2007331767.tif 000010
【図９】
2007331767.tif 000011
【図１０】
2007331767.tif 000012
【図１１】
2007331767.tif 000013